(57)【要約】  本発明は、２つ以上のストリップグループがあることによって特徴付けられるカバー、特にベッド用のカバーに関連し、各グループは２本以上のストリップを含む。これらのストリップグループは互いに対して異なる方向に配置され、特に織り合わされる。本発明はさらに、例えばクッションにおける、本構成原理のさらなる応用に関する。【選択図】  なし
2011529360.tif 000002
【特許請求の範囲】
【請求項１】
２つ以上のストリップグループを有するカバー、特にベッド用のカバーであって、
各グループは２本以上のストリップを含み、
少なくとも２つのストリップグループは互いに対して異なる方向に配置され、
前記少なくとも２つのストリップグループは少なくとも部分的に重なり合って配置され、
前記２つ以上のストリップグループは互いに対して固定される、カバー。
【請求項２】
少なくとも１つのストリップグループが、ティッキング素材で作られ、かつフェザーおよび／またはダウン、天然繊維、合成繊維、および発泡粒子から選択される詰め物が入れられたケーシングから製造される、請求項１に記載のカバー。
【請求項３】
前記２つ以上のストリップグループは織り合わされる、請求項１または２に記載のカバー。
【請求項４】
前記ストリップの１本以上、および／または、前記ストリップグループの１つ以上は、空のストリップ、および好適には織りウール素材で構成される、請求項１から３の一項以上に記載のカバー。
【請求項５】
平織に編まれた２つのストリップグループが提供される、請求項１から４の一項以上に記載のカバー。
【請求項６】
前記カバーは、従来のカバー素材で作られた周囲縁が設けられる、請求項１から５の一項以上に記載のカバー。
【請求項７】
前記カバーは、従来のカバー素材によって互いから離される２つ以上の領域の存在によって形成され、前記領域は、請求項１に記載されるように、各々、２本以上のストリップからなる２つ以上のグループから形成される、請求項１から５の一項以上に記載のカバー。
【請求項８】
前記ストリップグループは、ステッチング、キルティング、マジックテープ（登録商標）、ボタン、ダブルマッシュルームヘッドボタン、またはスナップによって互いに対して固定される、先行する請求項１から７の一項以上に記載のカバー。
【請求項９】
前記２つ以上のストリップグループは、素材および／または幅に関して互いから異なる、先行する請求項１から８の一項以上に記載のカバー。
【請求項１０】
先行する請求項１から９のいずれかに記載のカバーで作られた少なくとも１つの領域を有する寝袋。
【請求項１１】
先行する請求項１から９の一項以上に記載のカバーで作られた少なくとも１つの領域を有する衣料品。
【請求項１２】
先行する請求項１から９の一項以上の特徴を有するクッション。
【請求項１３】
前記個々のストリップの１本以上は、メッシュワークが張られた１つ以上の通気開口が設けられ、前記各ストリップの前記空気環境ゾーンは好適には前記ストリップが互いを交差すると好適に重なり合って置かれる、先行する請求項１から９の一項以上に記載のカバー。
【請求項１４】
前記ストリップまたはストリップグループの１つ以上は、メッシュワークで作られる、先行する請求項１から９の一項以上に記載のカバー。
【請求項１５】
２つ以上の空のストリップが提供され、同じストリップグループの前記詰め物入りおよび空のストリップは、セクションで、交互に、またはブロックで配置される、先行する請求項４に記載のカバー。
【請求項１６】
（ａ）平行に配置され、３つ以上の固定によって隣接ストリップに各々取り付けられる３本以上のストリップからなるグループと、
（ｂ）互いとのおよび周囲バンドとの交差点において各々固定される２つの交差二重バンドグループと、
（ｃ）長手および横方向に定期間隔にあるスロットが設けられたテキスタイル布と、
で構成されるサポートフレーム。
【請求項１７】
さらなるストリップまたは請求項１６に記載のサポートフレームを取り付けるための１つ以上のデバイスが設けられる、請求項２または４に記載のストリップ。
【請求項１８】
請求項１から９の一項以上に記載のカバーを製造する方法であって、
ａ１．  所望の数のストリップケーシングを提供するステップと、
ａ２．  前記所望の詰め物で前記ストリップケーシングを詰めるステップと、
ａ３．  前記所望の空間配置に前記ストリップを互いに対して位置決めするステップと、
ａ４．  互いに関連して前記ストリップグループを固定するステップと、
または、
ｂ１．  所望の数のストリップケーシングを提供するステップと、
ｂ２．  前記所望の空間配置に前記ストリップケーシングを互いに対して位置決めするステップと、
ｂ３．  前記所望の詰め物材で前記ストリップケーシングを詰めるステップと、
ｂ４．  互いに関連して前記ストリップを固定するステップと、
または、
ｂ１．  所望の数のストリップケーシングを提供するステップと、
ｂ２．  前記所望の空間配置に前記ストリップケーシングを互いに対して位置決めするステップと、
ｂ３’．  互いに関連して前記ストリップを固定するステップと、
ｂ４’．  前記所望の詰め物材で前記ストリップケーシングを詰めるステップと、
を含む、方法。
【請求項１９】
ステップｂ１、ｂ２、ｂ３’、ｂ４’、をこの順番で含む、請求項１８に記載の方法。
【請求項２０】
請求項１から９の一項以上に記載のカバーを製造する方法であって、キルトカバーに対応する構造および素材のストリップが用いられ、
ｃ１．  所望の数の詰め物入りストリップを提供するステップと、
ｃ２．  前記所望の空間配置に前記ストリップを互いに対して位置決めするステップと、
ｃ３．  互いに関連して前記ストリップグループを固定するステップと、
を含む、方法。
【発明の詳細な説明】
【技術分野】
【０００１】
１．発明の技術分野
本発明は、カバー、特にベッド用のカバー、寝袋、動物用毛布、旅行用および日常使いの毛布、並びに枕および衣料品に関する。
【背景技術】
【０００２】
２．発明の背景
現在、従来技術から知られているカバーは、例えば目の詰まった木綿素材のケーシングによって特徴付けられ、また、フェザーおよび／またはダウンが詰められている。小さい合成繊維球が詰め物材として用いられるカバーも知られている。さらに、詰め物としての不織布の多少ボリュームのある層が織り外層とキルティングされる、いわゆるキルトカバーがある。また、特に南国では、例えばウールから作られ折畳まれてベッドシートにされる簡素なカバーがカバーとして用いられる。
【０００３】
すべてのこれらのカバーの変形は、均一かつ連続的な外側ケーシングと外側境界面を共通して有する。
【０００４】
ＥＰ１４９９２２１によるＣｌｉｍａＢａｌａｎｃｅ製品レンジによって、この基本的な設計原理から初めて脱却された。この革新的なカバーの構想は、明確な通気性を有するメッシュワークが各々張られた通気開口が多数あることによって特徴付けられる。しかし、これらは通気開口が開いていても弾性断熱材の一定のかつ連続的な層でもある。
【０００５】
弾性断熱材の連続層を含む公知のカバー設計のこの特徴では、その下で寝る人の体型にある程度しか適応できない。さらに、特定の断熱効果を達成するために必要な詰め物の量は多く、満足のいくものではない。さらに従来技術のカバーの外観は常に軽視され、せいぜいキルティングの縫い目および畝の幾何学的配置によって決定される。上述したＣｌｉｍａＢａｌａｎｃｅカバー以外に、従来技術のカバーでは人体から出る熱および水分が十分に放散されない。
【０００６】
上述した従来技術に関して、本発明の基礎を形成する目的は、例えば下に寝る人の体型に対する適応性を向上可能なカバーを提供することである。本発明の基礎となるさらなる目的は、詰め物の重量を減少する一方で同じ断熱効果を維持できる毛布を提供することである。さらに、本発明は、十分な温かさと水分放散を保証し、それによりカバーの下の睡眠者によって占められる空間の空気調節を与えるカバーを提供する目的に基づいている。さらに、本発明は、現行の従来技術とは明らかに異なる外観によって特徴付けられるカバーを提供することを目的とする。さらに、本発明は、病院で用いられる場合に実用的な使用における利点を提供するカバーを提供する目的に基づいている。最後に、本発明の基礎となる目的は、取扱いまたはクリーニングについての関連する欠点を有することなく本段落に記載した有利な特性のすべてを同程度に提供することである。
【０００７】
さらに、本発明は、空気調節と、寝袋およびクッションの中またはそれらの上で寝る人の体型に対する適応性とが向上された寝袋およびクッションの提供に関する。
【０００８】
さらに、本発明は、本発明による設計原理に基づき、かつ、本発明に不可欠である上述の有利な特性（外形適応、詰め物の重量の減少、空気調節、および魅力的な外観）を有する衣料品の提供に関する。
【０００９】
加えて、本発明の基礎となる目的は上述した製品を製造する方法を提供することである。
【発明の概要】
【００１０】
３．発明の概要
上述した目的は、以下に示す請求項１に記載のカバーによって本発明に従って達成される。本発明では、少なくとも部分的に重なり合う個別のストリップからなる２つ以上のグループがあることによって、従来のカバーの連続的な表面から脱却された。
【００１１】
本発明のカバーの好適な実施形態は、以下に示す請求項２から９および１３から１５に記載される。
【００１２】
加えて、本発明は、寝袋および衣料品における本発明のカバーの使用に関する。このような使用は以下に示す請求項１０および１１に記載される。
【００１３】
さらに、本発明は、以下に示す請求項１２に記載の枕に関する。
【００１４】
また、本発明は、対応して準備されるストリップと共に用いられて本発明のカバーを形成できるサポートフレーム構造に関する。これらのサポートフレームは、例えば請求項１６に、ストリップは請求項１７に記載される。
【００１５】
本発明はさらに、以下に示す請求項１８、１９、および２０において特徴付けられるように本発明のカバーを製造する方法に関する。
【図面の簡単な説明】
【００１６】
４．図面の説明
【図１】図１は、本発明による層状構造を図示する。
【図２】図２は、本発明によるカバーの織られたバージョンを図示する。
【図３】図３は、従来設計の管状スリーブによって囲まれた本発明によるカバーの織られたバージョンを図示する。
【図４】図４は、幾つかの織りカバー領域が従来の管状カバー領域によって囲まれかつ互いに接続される、本発明によるカバーの代替実施形態を示す。
【図５】図５は、図２と類似するが固定点を有する本発明によるカバーの織られたバージョンを図示する。
【図６】図６は、横ストリップがその中に挿入される、実施形態Ａによる、以下に説明するサポートフレーム構造を図示する。
【図７】図７は、実施形態Ｂ２１による、以下に説明するサポートフレーム構造を図示し、図７ａはサポートフレーム構造を平面図で示し、図７ｂは側面図で示す。
【図８】図８は、実施形態Ｂ２２による、以下に説明するサポートフレーム構造を図示する。
【発明を実施するための形態】
【００１７】
５．発明の詳細な説明
５．１  定義
本発明の文脈において、用語「ダウンプルーフ」とは、用いられるべき詰め物材用の問題のケーシング材が規格ＥＮ１２１３２―２（Ｓｔｕｍｐｐテスト）に従って満たされるべき特性を有することを意味する。
【００１８】
本発明の文脈において、用語「ファイバプルーフ」とは、用いられるべき詰め物材用の問題のケーシング材が規格ＥＮ１２１３２−２（Ｓｔｕｍｐｐテスト）に従って満たされるべき特性を有することを意味する。
【００１９】
「ケーシング」とは、例えばダウンである詰め物と直接的または間接的に接触する、詰め物を包むテキスタイル材を意味するものとして理解される。
【００２０】
本発明の文脈において、「カバー」とは、人、動物、または素材を覆うまたは包むのに適した任意の製品を意味するものとして理解され、人用のカバーが好適な実施形態を構成している。
【００２１】
本発明の文脈において、「クッション」とは、人、動物、または素材用のサポートとして柔らかい詰め物材が詰められた１つ以上のケーシングを含むあらゆる品物を意味するものとして理解される。この例としては、枕、シートクッション、医療用シートクッション、補助枕、犬用クッション、加熱パッド、または、壊れ易い素材の保存または運搬用の柔らかいサポート、ならびにベッドまたはマットレス上敷きが挙げられる。本発明は、人用の枕に関連することが好適である。
【００２２】
「メッシュワーク」とは、通常、２００ l／dm2・分（２００Ｐａの圧力における降下で測定される）〜１０００ l／dm2・分（１３Ｐａの圧力における降下で測定される）、好適には２５０ l／dm2・分（２００Ｐａ）〜８００ l／dm2・分（１３Ｐａ）、より好適には３００ l／dm2・分（２００Ｐａ）〜６００ l／dm2・分（１３Ｐａ）、さらにより好適には８００ l／dm2・分（２００Ｐａ）〜１００ l／dm2・分（１３Ｐａ）である高水準の通気性を有するテキスタイル布を意味するものとして理解される。このタイプのメッシュワークは、目の粗い組織の形態であってもよいが、織布、編布、細糸等から作られる孔の開いた平らな素材から構成されてもよい。これらは、特に透かし細工が施されたポリエステル編布である、例えば透かし細工を施した編布といった編布、または、菱形シャルムーズ若しくは透かし細工が施されたシャルムーズといったシャルムーズ製品の分野におけるテキスタイルである。織布の分野からは、カーゼまたはメッシュ布が適切なメッシュワークを構成する。さらに、切欠け孔、または、繊維強化プラスチック内の強化素材としても用いられる２軸または多軸型の層状構造における繊維を任意選択的に有する、特にサーモボンドスパン不織材である不織材といったテキスタイルオープンメジャード（open-measured）材もメッシュワークと考えられる。１０〜４０％、好適には１５％〜３０％の比率の孔、ポア、自由メッシュ空間等といった開口を有するメッシュワークの好都合な例を平面図またはファントム図として観察することができる。
【００２３】
５．２  カバーの構造
本発明によるカバーは、２つ以上のストリップから各々なる２つ以上のグループが異なる方向に互いに対して配置され、ストリップグループは少なくとも部分的に互いに重なり合い、かつ、互いに対して固定される構造によって特徴付けられる。
【００２４】
様々なストリップグループがあることによって、本発明によるカバーを用いて、高い度合いの外形適応性を達成できる。これは、ストリップの互いに対するある程度の移動可能性によってもたらされうる。しかし、本発明は必ずしもこの動作原理に縛られない。織りストリップの場合、ストリップの伸張した長さは、カバーの幅および長さより大きい。これは、織り合わされたストリップ（縫込み（working-in））の蛇行経路による。この追加の長さは伸張長さとして作用できるので、一層よい外形適応がもたらされる。より良好な外形適応が、ストリップの大部分の連続可能な固定（fixing）が端部にない場合、ストリップの開放端部によっても達成される。特に、開放端部は、例えばストリップのセルのパネル／パネルステッチングと関連して、長手および横方向において同程度に特に良好な外形適応をもたらす。
【００２５】
さらに、少なくとも部分的に互いに重なり合う２つ以上のストリップグループがあることによって、空気の閉じ込めがもたらされる。この閉じ込められた空気によって、用いられる断熱材量を減少できる一方で、カバーの断熱効果は同じままとなる。
【００２６】
例えば交差領域におけるストリップの開放端部といった本発明によるカバーの開放構造によって、カバーの下の睡眠者によって占められる空間と外部領域との間で、従来のカバーに比べて向上された空気交換、したがって、カバー下の睡眠者によって占められる空間内の小空気環境の向上が可能となる。
【００２７】
ストリップを少なくとも部分的に互いに重ね合わせることにより、詰め物がずれることによってカバーの断熱特性が部分的にまたは完全に失われる危険性を減少する。さらには、カバーの厚さ全体にわたる詰め物の分布が達成される。
【００２８】
１つの好適な実施形態では、少なくとも２つのストリップグループは互いに直角に配置される。しかし、互いに対して、例えば４５〜１３５°、好適には６０〜１２０°、より好適には８０〜１００°の角度範囲内の別の向きも想到可能である。
【００２９】
一実施形態では、２つ以上のストリップグループは互いに重ね合わせることができ、したがって、いわゆる層構造を形成する。
【００３０】
これに代わり、２つ以上のストリップグループは織り合わされてよく、それにより織布が形成される。基本的に組織のタイプに関しては制限はない。しかし、問題の組織のタイプが、ストリップの長さ、幅、および厚さに関して製造できるものであることを確実にしなければならない。特に平織および綾織、マット織（matt weave）等が好適である。
【００３１】
ストリップは三つ編みのように編まれてもよい。本実施形態では、必ずしも２つの別個のストリップグループを与える必要はない。
【００３２】
層状構造および多くの組織タイプでは、３つ以上のストリップグループを用いることが想到可能である。ここでは、すべてのストリップグループが互いに関連して異なる向きを有することが可能である（例えばＡ−Ｂ−Ｃ構造）。２つ以上のストリップグループが同じ向きを有するが、さらなるストリップグループに関連して互いに異なることも可能である。例えば２つのストリップグループは互いに平行に配置され、かつ、これらのストリップグループ間に直交するストリップグループによって織り合わされてもよい（Ａ−Ｂ−Ａ構造）。２、３、または４つのストリップグループを有する構造、また、特に２または３つのストリップグループを有する構造が好適である。
【００３３】
二重カバーまたは四季対応型カバーの原理に従って、本発明によるカバーを２つ互いに分離不可能にまたは分離可能に接続することも可能である。
【００３４】
１グループあたりのストリップ数は具体的には定義されない。１グループあたり少なくとも２本のストリップであり、また、１グループあたり例えば４０本またはさらには８０本のストリップといった非常に大きい数も含みうる。本発明の典型的な例示実施形態は、２〜１０本のストリップ、具体的には４〜６本を含む。ストリップグループが互いに直角に配置される矩形カバーでは、カバーの長手方向に沿って４本のストリップ、および横方向に沿って６本のストリップを有する構造が特に好適である。
【００３５】
本発明のさらなる実施形態では、ストリップから形成された領域が、従来タイプのカバーの領域と組み合わされてもよい。この実施形態の典型的なバージョンは、織りまたは層状のストリップ構造が連続的な従来のフレームによって囲まれるバージョンである。同様に多数のこれらのタイプの織りストリップ領域を従来のカバーに織り込んでもよい。特に、２〜２０個、好適には２、３、４、５、６、７、および８個のこれらのタイプの領域を有するカバー、また、特に２、３、および４個のこれらのタイプのストリップ領域を有するカバーが、本発明に従っていると考えられる。これらの領域は任意の形状であってよいが、矩形およびダイアモンド形が好適である。本実施形態では、詰め物入り（filled）または空の（unfilled）ストリップおよびこれらの組み合わせを用いることができる。
【００３６】
本発明のさらなる態様は、様々なストリップグループに対して異なる詰め物および／またはケーシング材および／または詰め物重量を用いる可能性に関する。したがって、例えば、ダウンが詰められたストリップグループに、第２の不織布ベースのキルトカバータイプのストリップグループを組み合わせて提供することも想到可能である。さらなる典型的な組み合わせの可能性としては、詰め物入りストリップグループと、例えばウール組織から作られたストリップである第２の空のストリップグループとの組み合わせが含まれる。さらに、本発明の構想において本発明によるカバーの外観を、異なる色がついたストリップを用いた３次元構造によって既に独特かつ興味深いが、さらに強調することも可能である。
【００３７】
ストリップグループは、同じグループの隣接するストリップが互いに接触するかまたは任意の距離で離間されるように組み合わされて（例えば織られて）よい。隣接するストリップ間の距離は、各ストリップグループに対して選択することができ、また、ストリップグループ内で互いに独立して選択することができる。好適な距離は０〜１００ｃｍであり、より好適には０〜２０ｃｍであり、さらにより好適には０〜１０ｃｍであり、典型的には０．５〜５ｃｍである。この距離によってもたらされる開口には、ＥＰ１４９９２２１に記載されるように１つ以上のメッシュワーク層が張られてもよい。
【００３８】
本発明の１つの不可欠な態様は、２つのストリップグループの互いへの少なくとも部分的な固定（fixing）である。これにより、ストリップグループがバラバラになるおよび／または形状を失うことを防止できる。したがって、各ストリップは、少なくとも１つの固定によって、カバーの残りの部分に接続されるべきである。実用面から、各ストリップを、少なくともストリップの両端において隣接ストリップおよび／または上に若しくは下にあるストリップに固定することが望ましい。２つのストリップグループのストリップの各交差点または１つおきの交差点に少なくとも1つの固定が与えられる、広範囲に亘るストリップ固定は、安定性の観点から有利であることが分かっている。
【００３９】
しかし、その一方で、ストリップの互いに関連して最小限の移動可能性を保証するために、各々のストリップグループの過度に集中した固定を考えることは回避すべきである。
【００４０】
このようなタイプの、ストリップグループの互いへの緩いかつ部分的のみの固定によって、睡眠者の体型への適応のための本発明の適切性を特に強調できる。
【００４１】
上述の固定は、ストリップをステッチングまたはキルティングすることによって実施できる。しかし、マジックテープ（登録商標）、スナップ、ジップファスナー、ダブルマッシュルームボタン等を用いた固定も考えられる。マジックテープ（登録商標）等を用いた解放可能な固定が選択される場合、カバーは、個々のストリップまたはストリップグループを最終消費者が別々に洗濯可能であるという格別な利点を提供する。
【００４２】
既に述べたように、適切な固定点およびその密度を選択する際に、体型への良好な適応性を確実にすることが不可欠である。例えば魅力的な外観を得るために規則正しい固定が望まれる場合、１つの選択肢としては、互いに重なり合う２つのストリップグループを、各々、交差領域の隅点において互いに対して固定することである。しかし、他の固定点、線、または領域を用いること、および／または、固定点の密度を減少／増加することも可能である。例えば、図５に示す１交差点あたり４つの固定点のうち固定点を１つおきに省略することが考えられる。線が固定点として設けられる場合、２本のストリップの各交差点につき、４本以下の線が設けられることが好適であり、線の長さは、各々、問題の２本のストリップの平均幅の５０％以下、好適には１０〜４０％である。領域が固定点として設けられる場合、２本のストリップの各交差点につき、４個以下の固定領域が設けられることが好適であり、領域の総面積は交差点の面積の２０％以下、好適には１〜１０％である。同様に、固定点の不規則な配置も、結果として生じる外観に関して容認可能であるならば、考えられる。
【００４３】
本発明の代替の実施形態は、ストリップが少なくとも部分的に分離可能であり、後から最終消費者によって再び互いに接続かつ固定されるカバー構造に関する。これらの実施形態の利点は、個々のストリップを新しくする、または、異なる断熱効果、色等を有する代替ストリップと交換可能である点である。本発明の構想では、最終消費者が自身の要件および個人的嗜好に従ってカバーを組み立てることが可能でありかつそのように準備がされている。例えば、足用の領域と体用の領域の両方において特に強力な断熱効果が達成されるが、その他の領域ではそうならないカバーを組み立てることが考えられる。個々のストリップの特定の省略も可能である。
【００４４】
本発明のこのタイプの第１実施形態Ａでは、２つのストリップグループから形成されるカバーが提供され、２つのストリップグループのうちの一方（以下「第１のストリップグループ」）のストリップは互いに対して固定される。これらは「サポートフレーム」を形成し、この中に、もう一方の第２のストリップグループの「固定されていない（loose）」ストリップが、例えば平織のように縫い込まれてよい。本実施形態の構想では、第１のストリップグループのストリップが互いに平行に配置されかつ各々の隣接ストリップに対して一定の距離において固定されることが好適である。このような取り付けは永久的であることが好適である。このことは、例えばダーツによって実施される。隣接する取付けによって形成される空間が第２のストリップグループのストリップの幅に対応するように取付け点間の距離を選択することが、ここでの選択肢である。第１のストリップグループの取付け点間の距離を測定する際、約１０％以下、より好適には約５％以下の小さい偏差しか認めないことが有利である。その一方で、このことは、第２のストリップグループのストリップが、これらのストリップが大幅に押し付けられるまたはしわくちゃにされ過ぎることなく導入されることを可能にする。その一方で、距離を適切に選択することによって、第２のストリップグループのストリップをずれないように固定できる。
【００４５】
本実施形態の構想では、サポートフレームを形成する第１のグループのストリップは、カバーの長手方向および横方向の両方に配置できる。
【００４６】
本発明のさらなる実施形態Ｂでは、カバーは、適切な方法で配置かつ固定される、固定されていないストリップの２つのグループによって形成される。
【００４７】
本実施形態の第１のバージョンＢ１では、ストリップは分離可能に互いに直接固定される。このバージョンでは、ストリップの、特に互いに関連する固定点の相対位置を正確に指定し、それによりカバーが所望の形状を得ることを確実にすることが特に重要である。このことは、例えばスナップまたはマジックテープ（登録商標）接続要素といった複数の局所的に正確に指定された固定要素によって達成できる。
【００４８】
本実施形態のより好適なバージョンＢ２では、ストリップのために与えられる配置は、追加のサポートフレームによって保証される。このサポートフレームは次の通りに実施できる。
【００４９】
１つの可能性Ｂ２１としては、二重バンドのグリッドを含むサポートフレームを提供することである。ここでは、二重バンドは、各々、互いに重なり合うように配置された２つの平行の個別のバンドによって形成される。二重バンドは、２つのグループに分けられ、１つのグループの二重バンドは長手方向において互いに平行に配置され、もう１つのグループの二重バンドは横方向に配置される。両グループの二重バンドは、各々、交差点において互いに固定される（すなわち、二重バンド内での固定と、互いに関連する２つの二重バンドの固定）。両寸法における二重バンド間の距離は、導入されるべき各々のストリップの幅に対応し、上段の要件がここで適用される。すなわち、１０％未満の偏差が好適であり、また、５％未満の偏差がより好適である。二重バンドは包囲バンドによってさらに固定される。二重バンドの長さは、各々の寸法におけるカバーの長さおよび幅に対応する。バンド幅は最も重要なものではない。バンド幅は１〜６ｃｍであってよい。バンドの好適な幅は２〜４ｃｍである。さらに、サポートフレーム構造上に両ストリップグループのストリップに対して解放可能な固定を設けることがさらに好適である。これらの解放可能な固定は、各々のストリップの少なくとも両端にかつ包囲バンド上におよび／または二重バンドの両端に位置付けられることが有利である。ストリップ端をもう一方のストリップグループの最も外側のストリップに固定することも可能である。
【００５０】
代替のサポートフレーム構造Ｂ２２は、テキスタイル布、好適には織素材または不織素材のウェブによって形成されうる。テキスタイル布には長手および横方向におけるスロットが設けられ、スロットの幅は、導入されるべきストリップの幅に対応する。同様に、偏差を１０％未満、より好適には５％未満に制限することが望ましい。２０〜３０ｇ／ｍ２、好適には４０〜２００ｇ／ｍ２、特に好適には６０〜１２０ｇ／ｍ２である低い単位面積質量をテキスタイル布に与えることも望ましい。１つの有利な素材は、Ｆｒｅｕｄｅｎｂｅｒｇ  Ｅｖｏｌｏｎ  ＫＧ社によって製造される商標名「Ｅｖｏｌｏｎ」である不織布である。本実施形態の構想において、サポートフレーム構造上に両ストリップグループのストリップの解放可能な固定を設けることも望ましい。これらの解放可能な固定は、少なくとも、各々のストリップの両端にかつテキスタイル布の対応する縁領域上に位置付けられることが有利である。ストリップ端をもう一方のストリップグループの最も外側のストリップ上に固定することも可能である。
【００５１】
サポートフレームＢ２２に基本的に対応するが、スロット付きの織布がカバーの覆いの上部層を形成するサポートフレーム構造Ｂ２３を提供することも可能である。
【００５２】
本実施形態の第１のバージョンＢ１では、固定されていないストリップの２つのグループを互いに対して可能な限り正確にかつ頻繁に固定することが重要である。分離可能なストリップを有する実施形態の他のバージョンでは、カバーの内側領域において、さらなる固定が可能であるがこれは強制ではない。
【００５３】
上述した実施形態ＡおよびＢ、並びに後者の変形の各々では、カバーの外縁に沿って固定されていないストリップを固定することが有利である。
【００５４】
これらの固定は上述したように達成でき（ストリップの分離可能性を保証するためにキルティングは除く）、マジックテープ（登録商標）、スタッド、スナップ、ループ、適合するボタン孔を有するボタン、フック、および小穴が望ましい。
【００５５】
これらの実施形態ＡおよびＢの構想では、分離可能なストリップに関して、以下に説明するあらゆるストリップの形態を用いてよい。キルトされたカバー素材、ウール、綿、カシミア、およびラクダ毛から作られるストリップを用いることが望ましい。
【００５６】
さらに、本発明の主題は、上述した実施形態Ａのサポートフレーム構造、並びにサポートフレームＢ２１、Ｂ２２、およびＢ２３、並びに上述した固定されていないストリップであり、これらのストリップは、しかしながら、適切な位置において、例えば問題の位置、特に縁にあるボタン孔、スナップ、またはバンドに嵌めることによる固定のために準備される。少なくともバージョンＢ１では、例えば第２のストリップグループの交差点においてさらなる固定が設けられる。
【００５７】
本発明によるカバーの型は決められていない。典型的な実施形態は、カバーの通常寸法：１３５×２００ｃｍおよび１５５×２２０ｃｍを有するが、例えば２２０×２６０ｃｍの特殊寸法を有するカバーである。
【００５８】
本発明によるカバーを永久ケーシング内に導入することが可能である。しかし、バージョンＢ２３では、ケーシングはカバー構造に既に組み込まれているので、（さらなる）ケーシング内への導入は可能であるが賢明ではない。
【００５９】
５．３  ストリップ
本発明に従って使用されるストリップは、詰め物が入れられたケーシングであっても、または、弾性テキスタイル素材から作られる空のストリップであってもよい。
【００６０】
ストリップの長さは、通常、スパンされる領域の長さ（すなわち、カバーの長さか、または、カバー内の問題のストリップ領域の長さ）に一致させられる。織ったカバーでは、これは、ストリップは、ストリップの蛇行経路を保証するために、スパンされる領域より長いことを意味する。
【００６１】
ストリップの幅は詳細には指定しない。本発明に従って用いるストリップは、通常、２〜８０ｃｍの幅を有し、５〜２０ｃｍの範囲に及び、特に１０〜６０ｃｍが望ましい。より好適なのは２０〜５５ｃｍの幅を有するストリップであり、非常に特に好適なのは３０〜５０ｃｍの幅を有するストリップである。ストリップグループが互いに直角に配置される４×６のカバーの本発明による実施形態では、現在の確立されたカバー寸法について、３６〜３９ｃｍの理想的なストリップ幅が、通常の型（１３５＊２００ｃｍ）を有するカバーに対して生成され、大型サイズのカバー（１５５＊２２０ｃｍ）のストリップ幅に対しては４０〜４４の好適な範囲が生成される。
【００６２】
個々のストリップにはさらにＥＰ１４９９２２１による１つ以上の空気環境（climate）ゾーンが設けられてもよい。ストリップを交差すると、問題のストリップの空気環境ゾーンは互いに重なり合ってよい。
【００６３】
本発明では、例えば各々の幅が互いに異なる様々なストリップグループを用いることも考えられる。
【００６４】
５．４  ストリップケーシング
本発明の典型的な実施形態では、弾性素材から作られる上部および下部パネルを含むケーシングからなるストリップが用いられる。このケーシングは、例えばダウンおよび／またはフェザーである従来の詰め物を収容できる目の詰まった繊維およびダウンプルーフ綿組織（いわゆるティッキング）から作られるケーシングであってよい。詰め物のタイプに依存して、ケーシングに用いられる素材は様々であってよい。キルトカバーでは一般的であるように、不織詰め物の場合は例えばケーシング素材がダウンプルーフである必要はない。
【００６５】
基本的に、あらゆる入手可能な色のあらゆるケーシング素材が考えられる。様々なストリップにおける様々な色の組み合わせも可能である。
【００６６】
ケーシングの素材は、独国出願番号第１０２００７００１４３３．５号によるカシミア繊維または独国出願番号第１０２００７０１０８５１．８号によるカポック繊維も含みうる。当然ながら、本発明の構想において適切な合成繊維の使用も考えられる。
【００６７】
編布およびスパンボンド布も用いてよい。これらは、天然および／または合成繊維およびフィラメントから作られる。用いることが好適な天然繊維は綿である。合成繊維およびフィラメントは、例えばテレフタル酸ポリエチレン（ＰＥＴ）であるポリエステル、ポリプロピレン（ＰＰ）といったポリオレフィン、例えばＣｏｒｄｕｒａ（Ｒ）であるポリアミド、または、Ｋｅｖｌａｒ（Ｒ）、Ｎｏｍｅｘ（Ｒ）、またはこれらの混合物といったポリアラミドから選択されることが好適である。セラミック素材を含む繊維の使用も、本発明の構想において可能である。適切な繊維は、例えばＴｒｅｖｉｒａ  Ｂｉｏａｃｔｉｖｅ（Ｒ）繊維である。或いは、ＤＥ２０３１０２７９Ｕ１およびＷＯ０１／４７３８３Ａ１に記載されるように例えばＦｒｅｕｄｅｎｂｅｒｇ  Ｅｖｏｌｏｎ  ＫＧ社によって製造されているＥｖｏｌｏｎ（Ｒ）である例えば不織布または超極細繊維フリースであるフィラメント組織を用いてもよい。これらの超極細繊維フリースは、その通気性および水蒸気透過性だけでなく、ダニ‐アレルゲン耐性によっても特徴付けられる。
【００６８】
上述した素材の混合物も本発明の構想において用いてよい。
【００６９】
本発明の構想では、ストリップ長および幅全体に亘って詰め物をより良好に固定するためにストリップケーシングを個別のセルに分割することがさらに好適である。ここではあらゆる従来の実施形態が可能であり、特にケーシングの上部および下部パネルの直接接続が可能である、または、いわゆるリブである分離壁をケーシングの上部および下部パネルの間に挿入することが可能である。ダウン、フェザー、繊維球等といったバルク素材を詰める場合、上部および下部パネルの接続点に詰め物用の開口が設けられる。
【００７０】
当然ながら、本発明では、用いられるケーシング素材によって互いに異なる様々なストリップグループを用いることが考えられる。
【００７１】
５．５  ストリップの詰め物
個々のストリップには、従来のカバーに用いられるあらゆる詰め物が入れられてよい。ここでは制限はない。フェザー、ダウン、例えばカポック繊維またはウールといった天然繊維および動物の毛、繊維球および繊維不織ウェブといった合成繊維、および、例えば天然ゴムであるラテックスから作られる詰め物が望ましい。適切な合成繊維は、ポリエステルおよび／またはポリアミドから作られてよい。中空繊維も、本発明の構想において有利に用いられうる。さらに、発泡体も詰め物材として用いることができる。ここでは、いわゆるポリウレタンスティック（すなわち、通常９〜４０ｍｍ（好適には１８〜２０ｍｍ）の長さと、通常（４〜１２ｍｍ）×（２〜６ｍｍ）、好適には（７〜９ｍｍ）×（３〜５ｍｍ）の断面を有し、以下「ＰＵスティック」と呼ぶ小さいポリウレタンロッド）または発泡球を指定しうる。好適な発泡材は、ポリエーテルウレタン、ポリエステルウレタン、および粘弾性ゴムによって形成される発泡体等である。好適な発泡体の単位体積当りの重量は、１５〜５５ｋｇ／ｍ３の範囲であり、ＰＵスティックは、１８〜２４ｋｇ／ｍ３の単位体積当りの重量を有する素材から生成されることがより好適である。素材の圧縮硬度は、ＤＩＮ５３５７７に従って測定して１．０〜５．０ｋＰａであることが好適である。１．０〜２．０ｋＰａの圧縮硬度を有するＰＵスティック素材が好適である。さらなる好適な詰め物材は、発泡構造プレートである。どの寸法においても５〜５０ｃｍ、より好適には１０〜３５ｃｍ、特に好適には１０〜２０ｃｍ辺りの小さいセグメントサイズを有する発泡構造プレートが好適である。詰め物材として好適なのは、ゲルクッションまたはゲル構造プレート（例えばハニカム構造）の形態で利用可能であるゲルである。発泡構造プレートおよびゲル構造プレートの組み合わせも可能である。スペルト小麦粒子およびサクランボの種といった天然素材を用いてもよい。後者の詰め物材（発泡体および天然素材）は、特にクッションにおける使用のためのオプションである。
【００７２】
本発明の構想では、異なる詰め物重量および／または異なる詰め物材を有するストリップを組み合わせることもさらに可能である。このことは、１つのストリップグループにおいてまたはストリップグループ間の両方で可能である。
【００７３】
５．６  空のストリップ
上述した詰め物が入れられたストリップに加えて、本発明の構想では、詰め物がされていない（unfilled）素材からのみなる１つ以上のストリップグループを設けることも可能である。これは、典型的には、例えば、織布、編布、不織布、メッシュワーク、シャルムーズ製品、２軸または多軸組織といったテキスタイル布であってよい。このテキスタイル布の典型的な例は、例えばカシミアウールから作られる織りおよび編みウール素材；織綿素材；市販されるキルトカバーの詰め物に用いられるような特にポリエステル、フリース素材、ロンバスシャルムーズまたは透かし細工が施されたシャルムーズ、ガーゼ、ボリュームのある不織布から作られる透かし細工が施された編布；任意選択的に切欠け孔を有するサーモボンドスパン不織素材；ポリアクリロニトリル繊維（ＰＡＮ）でできている素材等である。これらの素材の混合物、例えばＰＡＮと綿の混合物を用いてもよい。原則的に制限はない。実際に、用いるストリップ素材は、柔らかさ、断熱特性、水分放散適性、価格、機器バリエーション、機能特徴等に関して必要に応じて選択できる。詰め物が入れられたストリップから形成されたさらなるストリップグループと組み合わせて空のストリップを用いることはオプションである。
【００７４】
５．７  製造方法
本発明によるカバーは、次の通りに製造することができる。詰め物入りストリップを使用する場合、以下に方法ａおよび方法ｂと特定される２つの代替の製造方法がある。
【００７５】
方法ａでは、個々のストリップが最初に詰め物が入れられ、その後、例えば既に詰め物が入れられたストリップをより合わせるまたは織り合わせることによって、互いに所望の空間向きにされる。最終ステップでは、ストリップグループは、例えばステッチングすること、互いへのボタン掛け、またはキルティングすることによって互いに対して固定される。したがって、方法ａの方法ステップは、次の通りに特徴付けることができる。すなわち、
ａ１．  所望の数のストリップケーシングを提供すること
ａ２．  所望の詰め物でストリップケーシングを詰めること
ａ３．  所望の空間配置にストリップを互いに対して位置決めすること
ａ４．  互いに関連してストリップグループを固定すること。
【００７６】
方法ｂは、方法ステップの順番が部分的に逆にされることにより特徴付けられる。ここでは、まず、第１のステップにおいて、互いに関連してストリップケーシングの空間向きが確立された後に初めて詰め物が個々のストリップ内に導入される。２つの代替の方法では、ストリップの固定は、詰め物をする前または詰め物をした後に行われてよい。方法ｂの方法ステップは次のようにまとめることができる。すなわち、
ｂ１．  所望の数のストリップケーシングを提供すること
ｂ２．  所望の空間配置にストリップケーシングを互いに対して位置決めすること
ｂ３．  所望の詰め物材でストリップケーシングを詰めること
ｂ４．  互いに関連してストリップを固定すること。
【００７７】
上記方法の代替としては次の方法バージョンがある。すなわち、
ｂ１．  所望の数のストリップケーシングを提供すること
ｂ２．  所望の空間配置にストリップケーシングを互いに対して位置決めすること
ｂ３’．  互いに関連してストリップを固定すること
ｂ４’．  所望の詰め物材でストリップケーシングを詰めること。
【００７８】
この代替の方法バージョンは望ましい。空のストリップが用いられる場合、当然ながら、ストリップを詰めるステップは省略される。この場合、次の方法が適用される。キルトカバータイプのストリップおよび／またはカバーの場合、次の方法ｃが望ましい。
ｃ１．  所望の数の詰め物入りストリップを提供すること
ｃ２．  所望の空間配置にストリップを互いに対して位置決めすること
ｃ３．  互いに関連してストリップグループを固定すること。
【００７９】
キルトカバータイプのストリップを、代替の詰め物入りストリップを組み合わせて用いる場合、方法ｃを、例えば順番（ｂ１）−（ｃ１）−（ｂ２またはｃ２）−（ｂ３’またはｂ３）−（ｂ４’）によって上述した方法ａおよびｂのそれぞれと適切に組み合わされてよい。
【００８０】
５．８  機器
本発明に従って用いられるストリップには、従来のカバーでも用いられているあらゆる機器が設けられてよい。これに関して制限はない。したがって、例えばストリップにセラミックを含有する繊維、Ｓｉｍｔｅｘ繊維（金属を含有する繊維および／または金属によってコーティングされた繊維）、または炭素繊維を備えることが考えられる。詰め物は、独国出願第１０２００６０１７３３８．４号に記載されるようにセラミックの小粒子でコーティングされてもよい。さらに、ストリップには計測プローブが付けられていてもよい。ストリップは、また、加熱グリッドが設けられていてもよい。ストリップに、抗菌性素材、芳香性素材、相変化素材、電磁振動を消散するための素材、照明および機能要素としての光ファイバ、および、当然ながら視覚的な装飾物が付けられてもよい。
【００８１】
５．９  応用
本発明によるカバーの１つの利点は、詰め物入りストリップの球状構造と、ストリップが互いに重なり合うことによるデュオカバー効果とによって、詰め物重量に関連して著しく良好な断熱特性をカバーが有するという事実である。したがって、本発明のカバーは、カバー重量を減少し、および／または、必要に応じて断熱効果を向上させることを可能にする。それにより、良好な断熱効果があるにも関わらず、カバー下の睡眠者によって占められる空間において汗ばんでベトベトした感覚が生じない。カバーの開放的な織り構造によって、カバー下の睡眠者によって占められる空間と周囲領域との間で空気および水分の交換が可能となるからである。下で眠る人の体型へのカバーの優れた適応もさらに強調すべきである。この特性は、変形状態であっても曲げ応力のないカバーの構造によって達成される。ストリップのパネル／パネルステッチングによって、この効果をさらに強化することができる。
【００８２】
本発明によるカバーの最も重要な実用的な応用は、ベッド用のカバーの分野にある。これは、一方で、個人的な最終消費者に関連するが、他方で、商業的な分野、例えばホテルや病院におけるカバーの使用にも関連する。病院では、特に、本発明によるカバーの開放的な構造は有利でありうる。本発明によるカバーは従来のカバーのように閉じられた表面を形成せず、個々のストリップ間に開口があり、それらによってＩＶラインまたは類似のラインを容易に導入できるからである。
【００８３】
本発明によるカバーのさらなる応用は、例えばソファで使用するスナグル用毛布といったように家庭内および健康の分野において見出せる。この応用では、本発明によるカバーの人目を引くかつ魅力的な外観が特に有利である。
【００８４】
本発明によるカバーのさらに可能な応用は、特に、良好な外形適応および／または呼吸活動が重要である場合に他の物体および／または生き物のカバーにおいて見出せる。この応用の典型例は、家具用のカバーおよび／または馬着である。
【００８５】
さらに、本発明によるカバーは、寝袋に作られてもおよび／または寝袋として使用されてもよい。本発明による寝袋はスポーツ、キャンプ、および／または旅行における使用に適している。本発明による寝袋は屋外および屋内の使用のために提供されうるが、後者の形態が望ましい。寝袋では、ストリップに基づいた本発明による構造は使用時に際立った利点をもたらす。すなわち、より良好な外形適応、および、余剰な体熱および水分を散逸する向上された適切性によって、睡眠者の体を完全に包む寝袋の、特に高水準の快適さがもたらされる。さらに、必要な詰め物量を減少することによって、寝袋の運搬重量および荷造り量を減少することができる。好適には、寝袋の上面（カバー側）を本発明に従って形成すればよい。
【００８６】
本発明による構想のさらに可能な応用は、詰め物入りまたは空のストリップのグループから衣料品を製造することである。例えば織り合わされたダウン詰め物入りストリップからダウンジャケットまたはダウンコートを製造することが考えられる。
【００８７】
５．１０  クッション
本発明のさらなる、特に不可欠な可能な応用はクッションにおける使用に関する。本発明によるカバーに関連して上述したように基本的に同じ設計原理、使用素材、および加工ステップをここで適用することができる。当然ながら、ここでは適応が必要となりうるクッションに固有の特性が考慮に入れられる。例えばクッションの型は、本発明によるカバーの型よりも小さい。典型的なクッション型は、４０×４０ｃｍ、４０×８０ｃｍ、８０×８０ｃｍおよび他の寸法である。
【００８８】
特定のクッションに固有の適応を詰め物に行うことができる。カバーに比べて、よりボリュームがありおよび／またはより剛性のある詰め物材を有する詰め物が、クッションの高められた支持効果を達成するためのオプションである。従来のクッションに用いられるあらゆる詰め物および素材、特に、ダウン、フェザー、繊維球、超極細繊維、スペルト小麦粒子、およびサクランボの種、並びにＰＵスティックおよび発泡体および／またはゲル構造プレートを本発明の構想内で用いることができる。
【００８９】
１ストリップグループあたりのストリップ数は、本発明によるカバーと比較してより小さい型であることにより、少なくなる。典型的なストリップグループは約２〜６本のストリップ、好適には２〜４本のストリップを含む。
【００９０】
睡眠者の下であっても有利な外形適応に加えて、本発明によるカバーの組み合わせにおいて、本発明によるクッションの使用は均一な外観を達成するために有利である。対応して、本発明は、追加的に、このようなタイプの均一な外観を有するカバーとクッションのセットに関連する。
【００９１】
６．具体的な例示実施形態
図１は、層状構造を形成する２つのストリップグループがある本発明の一実施形態を示す。１つのストリップグループのストリップ（１）は、第２のストリップグループのストリップ（２）の上方に連続的に位置付けられている。図１では、２つのストリップグループが互いに直角に配置されている布の好適な一実施形態を示す。
【００９２】
図２は、ストリップ（３）および（４）の２つのグループが織り合わされ、それにより布が形成される本発明のさらなる実施形態を示す。図２に示す実施形態では、織布は、ここでも互いに直角に配置されたストリップによって特徴付けられる。平織が示される。図２から、ストリップ（３）のグループのストリップは、ストリップ（４）のグループのストリップの上と下に交互に位置付けられることが容易に見て取れる。
【００９３】
図３は、本発明のさらなる実施形態を示す。本実施形態では、互いに直角に配置されたストリップ（５）および（６）の２つのグループから作成され、従来タイプの詰め物入りスリーブ（７）によって縁取りされた織布が提供される。このスリーブの幅または織り領域の空気比（aerial proportion）は詳細には指定しないが、織り領域が全領域の少なくとも６０％を占める場合、より好適には全領域の８０％、特に９０％を占める場合、本発明による利点は特に重要となる。さらに、本発明の構想では、スリーブの代わりにウール組織といった詰め物がされていない素材の縁取りを与えることも可能である。
【００９４】
図４は、図３による実施形態とは、単一の織り領域が用いられる代わりに、多数の（本例示では４つの）織り領域（８、９、１０、１１）が縁取りに用いられ従来の詰め物入りスリーブ（１２）に接続される点で異なる、本発明のさらなる実施形態を示す。当然ながら、１織り領域あたりのストリップ数は織り領域数が増加すれば少なくなり、したがって各個々の織り領域の面積も減少する。
【００９５】
図５は、図２におけるような本発明によるカバーを示すが、固定点（１３、明確さを上げるために、図５においてすべての固定点が参照番号によって特定されているわけではない）を配置するための可能性もさらに示す。
【００９６】
本実施形態でも、従来の詰め物入りスリーブ（１２）を、例えばウール組織といった詰め物がされていないテキスタイル布と置き換えることが考えられる。
【００９７】
図６は、実施形態Ａによるサポートフレーム構造を示す。このサポートフレーム構造は、第１のストリップグループのストリップ（４）によって形成され、各ストリップ（４）は、取付け点（１３）によって各々の隣接ストリップ（４）に接続される。第２のストリップグループのストリップ（３）は、このサポートフレーム構造内に横に挿入される。第２のグループのストリップ（３）の、第１のグループのストリップ（４）との解放可能な固定を、例えばストリップ（３）の両端かつ任意選択的に交差点における中心領域（図６では明瞭とするために図示していない）に与えることが有利である。
【００９８】
図７は、実施形態Ｂ２１によるサポートフレーム構造を示す。本実施形態のサポートフレーム構造は、二重バンド（１５、１６）のグリッドによって形成される。ここでは、二重バンド（１５および１６）は、各々、互いに重なり合うように配置された２つの平行の個別のバンド（１５ａと１５ｂ、および、１６ａと１６ｂ）によって形成される。二重バンドは、２つのグループ（１５、１６）に分けられ、１つのグループ（１５）の二重バンドは長手方向に互いに平行に配置され、もう１つのグループ（１６）の二重バンドは横方向に配置される。両グループの二重バンドは、各々、交差点（１７）において互いに固定される。両ストリップグループ（図７には図示せず）のストリップは、二重バンド１５ａおよび１５ｂと二重バンド１６ａおよび１６ｂによって形成される開口を通り導かれ、それらの位置で固定される。
【００９９】
図８は、実施形態Ｂ２２によるサポートフレーム構造を示す。これは、長手方向（２０）におけるスロットと横方向（１９）におけるスロットが設けられた布（１８）である。２つのストリップグループ（図８には図示せず）のストリップは、スロット（１９）および（２０）を通り導かれ、それらの位置で固定される。
【０１００】
上述した実施形態の各々において、図示したストリップグループの各々を詰め物入りの形態または詰め物が入れられていない形態で与えることが可能である。当然ながら、特に、小さい織り領域では、例えばポリエステル、ウール、および／または綿組織から形成されるより柔軟性のある、空のストリップが好適である。各々のストリップの幅を織り領域の全体のサイズに適応させることがさらに好適である。すなわち、小さい織り領域には細いストリップ、また、大きい織り領域には幅広のストリップが与えられることが好適である。通常、個々のストリップの幅は、織りまたは層状領域の各々の幅の約５〜５０％、好適には１０〜４０％である。
【０１０１】
７．実施例
矩形にキルティングされ、１３５×２００ｃｍであり、１／１の平織りの形態で互いに関連して直角に配置される４本の長手方向ストリップおよび６本の横方向ストリップから形成される、４×６のカバー。
【０１０２】
ケーシング素材：
１００％綿、平織、Ｇｅｂｒ．Ｓａｎｄｅｒｓ  ＧｍｂＨ＆Ｃｏ．ＫＧ社の織布品質、ＦＢ１３５
縦糸：  糸番手  Ｎｍ１３５、ｔｈｒｅａｄｓ／ｃｍ：６２
横糸：  糸番手  Ｎｍ１３５、ｔｈｒｅａｄｓ／ｃｍ：５９
総重量：      約９０ｇ／ｍ２
【０１０３】
ケーシング：
長手スリーブは、６個の同サイズのセルに分割され、各々、上部および下部パネルがパネル／パネルステッチングされる。横スリーブは４個の同サイズのセルに分割され、各々、上部および下部パネルがパネル／パネルステッチングされる。各々のセルの分離縫い目上には５ｃｍ幅の詰め物用の開口が考慮される。互いに関連したスリーブの固定は、図５による交差点のすべての隅において２０ｍｍの直径を有する円形キルティング縫い目によって実施された。
【０１０４】
平織でのスリーブの蛇行経路によって、いわゆる完成ケーシングのサイズ（詰め物無しの伸張されたスリーブの長さ）は、長手スリーブ：２０７ｃｍ、横スリーブ：１３９ｃｍである。
【０１０５】
詰め物：
ＥＮ規格ＥＮ１２９３４に従って１００％の１級クラスのハンガリー産ガンのダウンを用い、１セルあたり８ｇ、全部で４８セルあるので３８４ｇの総詰め物。
【０１０６】
カバーは、方法バージョンｂ１〜ｂ４’に従って製造された。
【図１】
2011529360.tif 000003
【図２】
2011529360.tif 000004
【図３】
2011529360.tif 000005
【図４】
2011529360.tif 000006
【図５】
2011529360.tif 000007
【図６】
2011529360.tif 000008
【図７ａ】
2011529360.tif 000009
【図７ｂ】
2011529360.tif 000010
【図８】
2011529360.tif 000011
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
２つ以上のストリップ（１、２、３、４、５、６）グループを有するカバー、特にベッド用のカバーであって、
各グループは２本以上のストリップを含み、
少なくとも２つのストリップグループ（１、３、５と２、４、６）は互いに対して異なる方向に配置され、
前記少なくとも２つのストリップグループ（１、３、５と２、４、６）は少なくとも部分的に重なり合って配置され、
前記２つ以上のストリップグループ（１、３、５と２、４、６）は互いに対して部分的に固定される、カバー。
【請求項２】
少なくとも１つのストリップグループが、ティッキング素材で作られ、かつフェザーおよび／またはダウン、天然繊維、合成繊維、および発泡粒子から選択される詰め物が入れられたケーシングから製造される、請求項１に記載のカバー。
【請求項３】
前記２つ以上のストリップグループ（１、３、５と２、４、６）は織り合わされる、請求項１または２に記載のカバー。
【請求項４】
前記ストリップの１本以上、および／または、前記ストリップグループの１つ以上は、空のストリップ、および好適には織りウール素材で構成される、請求項１から３の一項以上に記載のカバー。
【請求項５】
平織に編まれた２つのストリップグループ（３、５と４、６）が提供される、請求項１から４の一項以上に記載のカバー。
【請求項６】
前記カバーは、従来のカバー素材（７）で作られた周囲縁が設けられる、請求項１から５の一項以上に記載のカバー。
【請求項７】
前記カバーは、従来のカバー素材（１２）によって互いから離される２つ以上の領域（８、９、１０、１１）の存在によって形成され、前記領域は、請求項１に記載されるように、各々、２本以上のストリップからなる２つ以上のグループから形成される、請求項１から５の一項以上に記載のカバー。
【請求項８】
前記ストリップグループは、ステッチング、キルティング、マジックテープ（登録商標）、ボタン、ダブルマッシュルームヘッドボタン、またはスナップによって互いに対して固定される、先行する請求項１から７の一項以上に記載のカバー。
【請求項９】
前記２つ以上のストリップグループは、素材および／または幅に関して互いから異なる、先行する請求項１から８の一項以上に記載のカバー。
【請求項１０】
先行する請求項１から９のいずれかに記載のカバーから少なくとも部分的に作られた寝袋。
【請求項１１】
先行する請求項１から９の一項以上に記載のカバーから少なくとも部分的に作られた衣料品。
【請求項１２】
クッションの形態である、先行する請求項１から９の一項以上に記載のカバー。
【請求項１３】
前記個々のストリップの１本以上は、メッシュワークが張られた１つ以上の通気開口が設けられ、前記各ストリップの前記空気環境ゾーンは好適には前記ストリップが互いを交差すると好適に重なり合って置かれる、先行する請求項１から９の一項以上に記載のカバー。
【請求項１４】
前記ストリップまたはストリップグループの１つ以上は、メッシュワークで作られる、先行する請求項１から９の一項以上に記載のカバー。
【請求項１５】
２つ以上の空のストリップが提供され、同じストリップグループの前記詰め物入りおよび空のストリップは、セクションで、交互に、またはブロックで配置される、先行する請求項４に記載のカバー。
【請求項１６】
（ａ）平行に配置され、３つ以上の固定によって隣接ストリップに各々取り付けられる３本以上のストリップからなるグループと、
（ｂ）互いとのおよび周囲バンドとの交差点において各々固定される２つの交差二重バンドグループ（１５、１６）と、
（ｃ）長手および横方向（１９、２０）に定期間隔にあるスロットが設けられたテキスタイル布（１８）と、
で構成されるサポートフレーム。
【請求項１７】
（ｉ）ティッキング素材で作られ、かつフェザーおよび／またはダウン、天然繊維、合成繊維、および発泡粒子から選択される詰め物が入れられたケーシングから製造されるストリップと、
（ｉｉ）空のストリップ、好適には織りウール素材と、
から選択され、
さらなるストリップまたは請求項１６に記載のサポートフレームを取り付けるための１つ以上のデバイスが設けられる、ストリップ。
【請求項１８】
請求項１から９の一項以上に記載のカバーを製造する方法であって、
ａ１．  ティッキング素材で作られる、所望の数のストリップケーシングを提供するステップと、
ａ２．  前記所望の詰め物で前記ストリップケーシングを詰めるステップと、
ａ３．  前記所望の空間配置に前記ストリップを互いに対して位置決めするステップと、
ａ４．  互いに関連して前記ストリップグループを固定するステップと、
または、
ｂ１．  ティッキング素材で作られる、所望の数のストリップケーシングを提供するステップと、
ｂ２．  前記所望の空間配置に前記ストリップケーシングを互いに対して位置決めするステップと、
ｂ３．  前記所望の詰め物材で前記ストリップケーシングを詰めるステップと、
ｂ４．  互いに関連して前記ストリップを固定するステップと、
または、
ｂ１．  ティッキング素材で作られる、所望の数のストリップケーシングを提供するステップと、
ｂ２．  前記所望の空間配置に前記ストリップケーシングを互いに対して位置決めするステップと、
ｂ３’．  互いに関連して前記ストリップを固定するステップと、
ｂ４’．  前記所望の詰め物材で前記ストリップケーシングを詰めるステップと、
を含む、方法。
【請求項１９】
ステップｂ１、ｂ２、ｂ３’、ｂ４’、をこの順番で含む、請求項１８に記載の方法。
【請求項２０】
請求項１から９の一項以上に記載のカバーを製造する方法であって、キルトカバーに対応する構造および素材のストリップが用いられ、
ｃ１．  所望の数の詰め物入りストリップを提供するステップと、
ｃ２．  前記所望の空間配置に前記ストリップを互いに対して位置決めするステップと、
ｃ３．  互いに関連して前記ストリップグループを固定するステップと、
を含む、方法。
【国際調査報告】
2011529360.tif 000012
2011529360.tif 000013
2011529360.tif 000014
2011529360.tif 000015